(57)【特許請求の範囲】
【請求項１】
通信装置であって、
第１情報を記憶する外部記憶媒体を装着する装着手段と、
第２情報を入力し、および／または出力する入出力手段と、
情報の通信を行う通信手段と
を備え、前記通信手段は、前記外部記憶媒体が前記装着手段に装着された状態において、前記外部記憶媒体のリーダ／ライタと前記第１情報の通信を行い、または前記第１情報を用いて移動通信網と前記第２情報の通信を行い、
前記通信装置は、前記外部記憶媒体のリーダ／ライタから電波を受信して該電波から、前記第１情報の通信を行うための電力を発生させる電力発生手段をさらに備えたことを特徴とする通信装置。
【発明の詳細な説明】
【０００１】
【発明の属する技術分野】
本発明は通信装置（例えば、移動機）に関し、より具体的には、通信装置に装着された外部記憶媒体（例えば、接触型ＩＣカード）を外すことなく、外部記憶媒体に記憶される情報（例えば、電子マネーに関する情報、入退室管理に関する情報）の通信を行い、または外部記憶媒体に記憶される情報（例えば、電話番号）を用いて通信装置に入出力される情報の通信（例えば、音声情報の移動通信）を行う通信装置に関する。
【０００２】
【従来の技術】
従来、移動通信において、移動機に接触型ＩＣカードを装着し、接触型ＩＣカードに記憶された情報（電話番号、認証／秘匿鍵等）を用いて移動通信網と通信を行っていた。接触型ＩＣカードに移動通信に関する情報以外の情報（例えば、電子マネーに関する情報）をも記憶させ、接触型ＩＣカードを移動通信以外のサービス（例えば、電子マネー・サービス）に使用する場合、移動機のユーザは一旦移動機から接触型ＩＣカードを外してサービスを提供する接触型ＩＣカードリーダ／ライタに装着していた。
【０００３】
【発明が解決しようとする課題】
しかし、サービスを受けるたびに、移動機および接触型ＩＣカードリーダ／ライタに対してＩＣカードの取り外し、装着等を行うのでは、ユーザにとって煩雑である。
【０００４】
また、ＩＣカードを移動機から繰り返し外すと、ＩＣカードおよび移動機のＩＣカード装着部分（コネクタ等）の電気的および物理的接点の摩耗を生じ、故障につながるおそれがある。
【０００５】
さらに、サービスを提供する側は、移動機に装着される接触型ＩＣカードの形状等に対応したリーダ／ライタを用意することになる。例えば、小型の携帯型移動機の場合、移動機の容量を小さくするため、通常のクレジットカードサイズの接触型ＩＣカード（フルサイズＩＣカード）を使用せず、移動通信専用形状の小型ＩＣカードを使用する場合がある。そのため、サービスを提供する側は、小型ＩＣカード用のリーダ／ライタを用意することになる。
【０００６】
したがって、移動機に装着された接触型ＩＣカードを外すことなく、移動通信サービスに加えて、接触型ＩＣカードに記憶される情報の通信サービス、すなわち非接触型ＩＣカードとしてのサービスを実現できる移動機が望まれる。
【０００９】
【課題を解決するための手段】
請求項１に記載の発明は、通信装置であって、第１情報を記憶する外部記憶媒体を装着する装着手段と、第２情報を入力し、および／または出力する入出力手段と、情報の通信を行う通信手段とを備え、前記通信手段は、前記外部記憶媒体が前記装着手段に装着された状態において、前記外部記憶媒体のリーダ／ライタと前記第１情報の通信を行い、または前記第１情報を用いて移動通信網と前記第２情報の通信を行い、前記通信装置は、前記外部記憶媒体のリーダ／ライタから電波を受信して該電波から、前記第１情報の通信を行うための電力を発生させる電力発生手段をさらに備えたことを特徴とする。
【００１９】
以上の構成によれば、通信装置（例えば、移動機）に装着された外部記憶媒体（例えば、接触型ＩＣカード）を外すことなく、外部記憶媒体に記憶される情報（例えば、電子マネーに関する情報）の通信を行い、または外部記憶媒体に記憶される情報（例えば、電話番号）を用いて通信装置に入出力される情報の通信（例えば、音声情報の移動通信）を行うことができる。
【００２０】
これにより、通信装置および外部記憶媒体のリーダ／ライタに対して外部記憶媒体の取り外し、装着等を行う煩雑さが解消される。
【００２１】
また、外部記憶媒体を通信装置から繰り返し外すことによる、外部記憶媒体および通信装置の外部記憶媒体装着部分の電気的および物理的接点の摩耗を防ぐことができる。
【００２２】
さらに、サービスを提供する側は、通信装置に装着される外部記憶媒体の形状等に対応したリーダ／ライタを用意しなくてもよい。
【００２３】
【発明の実施の形態】
以下、図面を参照して本発明の実施形態を詳しく説明する。
【００２４】
（第１実施形態）
図１は、本発明の第１実施形態に係る移動機の構成例を示す図である。移動機１は、装着部１０、無線インターフェース制御部１２、無線・整流部１４、アンテナ１６、操作入力部１７、音声入出力部１８、ＣＰＵ２０、ＲＯＭ２２、ＲＡＭ２４、無線インターフェース制御部２６、無線部２８、アンテナ３０、および電池３２を備える。
【００２５】
無線インターフェース制御部１２、無線・整流部１４およびアンテナ１６は、非接触型ＩＣカードとしての通信を行うためのものである。本実施形態においては、アンテナ１６を移動機１の外周付近に埋め込んでいる。アンテナ１６は電池３２と一体としてもよい。
【００２６】
操作入力部１７、音声入出力部１８、ＣＰＵ２０、ＲＯＭ２２、ＲＡＭ２４、無線インターフェース制御部２６、無線部２８およびアンテナ３０は、移動通信を行うためのものである。本実施形態においては、アンテナ３０として、移動機１の筐体外部に突出するタイプのものを用いているが、移動機１の内部に収まるタイプのものであってもよい。
【００２７】
操作入力部１７は、移動通信における相手の電話番号等の操作入力を受ける部分である。
【００２８】
音声入出力部１８はマイク、スピーカ等を備え、音声の入力を受けて音声信号を生成し、また音声信号に基づき音声を出力する。本実施形態では、音声の入出力を行うことができるが、入力または出力の一方のみを行うことができるものとしてもよい。
【００２９】
本実施形態に係る移動機は音声の入出力を行うものとしているが、音声以外の情報を入出力できるものとしてもよい。
【００３０】
装着部１０は電気的端子を有し、この端子に接触型ＩＣカード２の電気的端子を接続することにより、接触型ＩＣカード２を移動機１に装着することができる。接触型ＩＣカード２は、ＲＯＭ５０、ＣＰＵ５２、ＲＡＭ５４、および不揮発メモリ５６を備える。
【００３１】
ＲＯＭ５０には、接触型ＩＣカード２を制御するためのプログラム等が記憶されている。不揮発メモリ５６には、移動通信およびその他のサービス用のアプリケーションおよび各種パラメータ等が記憶されており、移動機１が移動通信網と通信を行うために必要な情報（電話番号、認証／秘匿鍵等）も記憶されている。
【００３２】
接触型ＩＣカード２が移動機１に装着されると、ＣＰＵ５２はＣＰＵ２０および無線インターフェース制御部１２と結合される。
【００３３】
以下、接触型ＩＣカード２を移動機１に装着した状態における、接触型ＩＣカード２に記憶される情報の通信を行う際の動作、すなわち非接触型ＩＣカードとしての動作（以下「非接触型ＩＣカード動作」という）、および移動通信を行う際の動作（以下「移動通信動作」という）について説明する。
【００３４】
まず、非接触型ＩＣカード動作について説明する。接触型ＩＣカード２に記憶された情報は、ＣＰＵ５２の制御の下、無線インターフェース制御部１２、無線・整流部１４およびアンテナ１６を介して非接触型ＩＣカードリーダ／ライタに送信される。また、非接触型ＩＣカードリーダ／ライタから送信されてきた情報は、ＣＰＵ５２の制御の下、アンテナ１６、無線・整流部１４および無線インターフェース制御部１２を介して受信され、接触型ＩＣカードに記憶される。
【００３５】
非接触型ＩＣカード動作時において、接触型ＩＣカード２、無線インターフェース制御部１２、および無線・整流部１４で用いる電力は、無線・整流部１４により供給される。無線・整流部１４は、アンテナ１６を介して入力された、非接触型ＩＣカードリーダ／ライタにより発射された電波（電磁波）を整流し、電力を発生させる。
【００３６】
非常時、例えば無線・整流部１４が電力を供給できない場合には、電池３２が接触型ＩＣカード２、無線インターフェース制御部１２、および無線・整流部１４に電力を供給する。このように電力を発生させる無線・整流部１４と電池３２とを備えておくことにより、無線・整流部１４が電力を供給できない場合にも、電池３２により電力を供給することができ、非接触型ＩＣカード動作の停止を防止することができる。
【００３７】
次に、移動通信動作について説明する。音声入出力部１８を介して入力された音声情報は、ＣＰＵ２０の制御の下、無線インターフェース制御部２６、無線・整流部２８およびアンテナ３０を介して移動通信網に送信される。また、移動通信網から送信されてきた音声情報は、ＣＰＵ２０の制御の下、アンテナ３０、無線・整流部２８および無線インターフェース制御部２６を介して受信され、音声入出力部１８を介して出力される。本実施形態における移動通信動作では、情報の送受信を行うことができるが、送信または受信の一方のみを行うことができるものとしてもよい。
【００３８】
また、ＣＰＵ５２は、ＣＰＵ２０からの命令コマンドにより、不揮発メモリ５６に記憶された情報を用いて、発信、着信、位置登録等に必要な処理を行い、その結果をＣＰＵ２０に返す。例えば、ＣＰＵ５２は、不揮発メモリ５６に記憶された認証／秘匿鍵等を用いて、移動機１を制御するための認証／秘匿演算等を行う。
【００３９】
移動通信動作時において、接触型ＩＣカード２、操作入力部１７、音声入出力部１８、ＣＰＵ２０、ＲＯＭ２２、ＲＡＭ２４、無線インターフェース制御部、および無線部２８で用いる電力は、電池３２により供給される。
【００４０】
非接触型ＩＣカード動作を行うか、移動通信動作を行うかの選択は、例えば、受信した電波の周波数等によりどちらの動作を行うかを移動機１が自動的に判断するようにすることができる。また、例えば、操作入力部１７において操作入力があったときは、移動通信と判断するようにすることができる。さらに、例えば、どちらの動作を行うかをユーザが選択するための手段を操作入力部１７に設け、選択があった場合にはその選択に基づき動作を行うようにすることができる。
【００４１】
本実施形態において、移動機１は非接触型ＩＣカード動作に用いるアンテナ１６、および移動通信動作に用いるアンテナ３０の２つのアンテナを備えるが、アンテナを１つのみ備えて両動作に用いるようにすることもできる。
【００４２】
アンテナを２つ備える場合には、それぞれのアンテナを、非接触型ＩＣカード動作に用いる周波数に適切なものと移動通信動作に用いる周波数に適切なものとすることができ、アンテナの性能（感度）を上げることができる。アンテナの性能の上昇により、例えば、移動通信において電波の届きにくい場所でも圏外とされにくくなったり、非接触型ＩＣカードとしての通信においてリーダ／ライタからの使用可能距離が長くなったりする。
【００４３】
一方、アンテナを１つのみ備える場合には、アンテナのコストが小さくなり、移動機の製造工程も減少する。
【００４４】
本実施形態においては、無線インターフェース制御部１２と無線インターフェース制御部２６、無線・整流部１４と無線部２８のように機能が重複する要素があるが、これらの要素に関し、１つに統合できる部分については１つに統合してもよい。
【００４５】
（第２実施形態）
図２は、本発明の第２実施形態に係る移動機の構成例を示す図である。本実施形態に係る移動機１０１では、非接触型ＩＣカードリーダ／ライタにより発射された電波を整流し、電力を発生させることは行わない。移動機１０１の構成および機能は、電力供給に関するものを除き、本発明の第１実施形態に係る移動機１と同様である。
【００４６】
移動機１０１は、装着部１１０、無線インターフェース制御部１１２、無線部１１５、アンテナ１１６、操作入力部１１７、音声入出力部１１８、ＣＰＵ１２０、ＲＯＭ１２２、ＲＡＭ１２４、無線インターフェース制御部１２６、無線部１２８、アンテナ１３０、および電池１３２を備える。
【００４７】
無線部１１５は、非接触型ＩＣカードとしての通信を行うためのものであるが、本発明の第１実施形態に係る無線・整流部１４と異なり、整流は行わない。
【００４８】
本実施形態においては、本発明の第１実施形態と異なり、非接触型ＩＣカード動作時に接触型ＩＣカード２、無線インターフェース制御部１１２、および無線部１１５で用いる電力も、電池１３２により供給される。これにより、非接触型ＩＣカードリーダ／ライタは、通信距離が長い場合に接触型ＩＣカード２に供給する電力を確保するために高出力の電波を発射しなくてもよい。また、非接触型ＩＣカードリーダ／ライタが発射した電波が低出力であるため、接触型ＩＣカード２に供給される電力が不十分という事態も回避できる。
【００４９】
本実施形態においても、移動機１０１は非接触型ＩＣカード動作に用いるアンテナ１１６、および移動通信動作に用いるアンテナ１３０の２つのアンテナを備えるが、アンテナを１つのみ備えて両動作に用いるようにすることもできる。
【００５０】
また、本実施形態においても、無線インターフェース制御部１１２と無線インターフェース制御部１２６、無線部１１５と無線部１２８のように機能が重複する要素があるが、これらの要素に関し、１つに統合できる部分については１つに統合してもよい。
【００５１】
【発明の効果】
以上説明したように、本発明によれば、通信装置（例えば、移動機）に装着された外部記憶媒体（例えば、接触型ＩＣカード）を外すことなく、外部記憶媒体に記憶される情報（例えば、電子マネーに関する情報）の通信を行い、または外部記憶媒体に記憶される情報（例えば、電話番号）を用いて通信装置に入出力される情報の通信（例えば、音声情報の移動通信）を行うことができる。
【００５２】
これにより、通信装置および外部記憶媒体のリーダ／ライタに対して外部記憶媒体の取り外し、装着等を行う煩雑さが解消される。
【００５３】
また、外部記憶媒体を通信装置から繰り返し外すことによる、外部記憶媒体および通信装置の外部記憶媒体装着部分の電気的および物理的接点の摩耗を防ぐことができる。
【００５４】
さらに、サービスを提供する側は、通信装置に装着される外部記憶媒体の形状等に対応したリーダ／ライタを用意しなくてもよい。
【図面の簡単な説明】
【図１】本発明の第１実施形態に係る移動機の構成例を示す図である。
【図２】本発明の第２実施形態に係る移動機の構成例を示す図である。
【符号の説明】
１、１０１  移動機
２  接触型ＩＣカード
１０、１１０  装着部
１２、２６、１１２、１２６  無線インターフェース制御部
１４  無線整流部
２８、１１５、１２８  無線部
１６、３０、１１６、１３０  アンテナ
１７、１１７  操作入力部
１８、１１８  音声入出力部
２０、５２、１２０  ＣＰＵ
２２、５０、１２２  ＲＯＭ
２４、５４、１２４  ＲＡＭ
３２  電池
５６  不揮発メモリ
【図１】
0003768020.tif 000002
【図２】
0003768020.tif 000003